(57)【要約】【課題】オペレータの必要以上の移動や操作指示といった作業負担を軽減できるＸ線装置を提供する。【解決手段】本体５により変位可能に支持されるアーム４は、被検体ＨにＸ線を照射するＸ線照射装置３を支持する一端部と、被検体Ｈを透過したＸ線により形成されるＸ線透視画像の受像装置２を支持する他端部と、両端部を連結する連結部とを有する。ロック機構は本体５に対するアーム４の変位をロック解除可能にロックする。操作スイッチ２０はロック機構によりアーム４の変位をロックする状態とロック解除する状態とに切り替える。操作スイッチ２０が、Ｘ線照射装置３、受像装置２、およびアーム４の中の何れかに配置されている。【選択図】図１
2005013705.tif 000002
【特許請求の範囲】
【請求項１】
被検体にＸ線を照射するＸ線照射装置と、
前記被検体を透過したＸ線により形成されるＸ線透視画像の受像装置と、
前記Ｘ線照射装置を支持する一端部と、前記受像装置を支持する他端部と、両端部を連結する連結部とを有するアームと、
前記アームを変位可能に支持する本体と、
前記本体に対する前記アームの変位をロック解除可能にロックするロック機構と、
前記ロック機構により前記アームの変位をロックする状態とロック解除する状態とに切り替える操作スイッチとを備えるＸ線装置において、
前記操作スイッチが、前記Ｘ線照射装置、前記受像装置、および前記アームの中の何れかに配置されていることを特徴とするＸ線装置。
【請求項２】
被検体にＸ線を照射するＸ線照射装置と、
前記被検体を透過したＸ線により形成されるＸ線透視画像の受像装置と、
前記Ｘ線照射装置を支持する一端部と、前記受像装置を支持する他端部と、両端部を連結する連結部とを有するアームと、
前記アームを支持する本体と、
前記Ｘ線照射装置からのＸ線の照射条件設定用操作スイッチと、そのＸ線のコリメータを操作するためのコリメータ用操作スイッチとを含む操作パネルとを備えるＸ線装置において、
前記操作パネルが、前記Ｘ線照射装置、前記受像装置、および前記アームの中の何れかに配置されていることを特徴とするＸ線装置。
【発明の詳細な説明】
【技術分野】
【０００１】
本発明は、例えば外科手術等に際して患者のＸ線透視画像をモニタテレビ等に表示するために用いられるＸ線装置に関する。
【背景技術】
【０００２】
モノタンクのようなＸ線照射装置と、イメージインテンシファイアのようなＸ線透視画像の受像装置と、Ｘ線照射装置と受像装置を支持するＣ型アームと、Ｃ型アームを支持する本体とを備えるＸ線装置が知られている（特許文献１参照）。
【０００３】
そのようなＸ線装置においては、Ｘ線照射装置と受像装置の間に配置される被検体の透視部位の変更調節と位置決めができるように、Ｃ型アームは本体により変位可能に支持され、その変位をロック機構によりロックする状態とロック解除する状態とに切り替えるロック機構用操作スイッチが設けられている。さらに、そのＸ線照射装置からのＸ線の照射条件設定用操作スイッチと、そのＸ線のコリメータを操作するためのコリメータ用操作スイッチとを含む操作パネルとが設けられている。
【０００４】
従来、その操作スイッチおよび操作パネルは本体に設けられていた。
【特許文献１】特開２００２−２７２７１８号公報
【発明の開示】
【発明が解決しようとする課題】
【０００５】
上記のようなＸ線装置により例えば手術台上の被検体の透視画像を形成する場合、その透視部位を調節するにはロック機構用操作スイッチによりアームの変位のロックを解除した後に、Ｘ線照射装置あるいは受像装置に設けたハンドルを持ってアームを変位させ、しかる後にロック機構用操作スイッチによりアームの変位を再びロックする必要がある。その上で、操作パネルにおける照射条件設定用操作スイッチやコリメータ用操作スイッチを操作してＸ線の照射条件の設定やＸ線のコリメータの操作を行わなければならない。そのため、従来のようにロック機構用操作スイッチや操作パネルが本体に設けられていると、オペレータが手術台を回り込んで往復するか、別の人間に操作スイッチの操作を指示する必要があり、オペレータに必要以上の負担を強いるという問題があった。
本発明は上記問題を解決することのできるＸ線装置を提供することを目的とする。
【課題を解決するための手段】
【０００６】
本発明の一つの特徴は、被検体にＸ線を照射するＸ線照射装置と、前記被検体を透過したＸ線により形成されるＸ線透視画像の受像装置と、前記Ｘ線照射装置を支持する一端部と、前記受像装置を支持する他端部と、両端部を連結する連結部とを有するアームと、前記アームを変位可能に支持する本体と、前記本体に対する前記アームの変位をロック解除可能にロックするロック機構と、前記ロック機構により前記アームの変位をロックする状態とロック解除する状態とに切り替えるロック機構用操作スイッチとを備えるＸ線装置において、前記操作スイッチが、前記Ｘ線照射装置、前記受像装置、および前記アームの中の何れかに配置されている点にある。これにより、オペレータは同一位置からロック機構用操作スイッチを操作すると共にアームを変位させることができる。
【０００７】
本発明の別の一つの特徴は、被検体にＸ線を照射するＸ線照射装置と、前記被検体を透過したＸ線により形成されるＸ線透視画像の受像装置と、前記Ｘ線照射装置を支持する一端部と、前記受像装置を支持する他端部と、両端部を連結する連結部とを有するアームと、前記アームを支持する本体と、前記Ｘ線照射装置からのＸ線の照射条件設定用操作スイッチと、そのＸ線のコリメータを操作するためのコリメータ用操作スイッチとを含む操作パネルとを備えるＸ線装置において、前記操作パネルが、前記Ｘ線照射装置、前記受像装置、および前記アームの中の何れかに配置されている点にある。これにより、オペレータはアームを変位させるのと同一位置で操作パネルにおける照射条件設定用操作スイッチとコリメータ用操作スイッチを操作することができる。
【発明の効果】
【０００８】
本発明のＸ線装置によれば、オペレータの必要以上の移動や操作指示といった作業負担を軽減できる。
【発明を実施するための最良の形態】
【０００９】
図１に示すＸ線装置１は、例えば図示のように手術台Ｔ上の被検体ＨのＸ線透視画像をモニタテレビ（図示省略）に表示するのに用いられるもので、Ｘ線照射装置３と受像装置２を支持するアーム４を本体５により支持する。Ｘ線照射装置３は、本実施形態ではＸ線管と高電圧発生装置を有するモノタンクにより構成されるが、被検体ＨにＸ線を照射するものであればよい。受像装置２は、本受像装置２ではイメージインテンシファイアにより構成され、Ｘ線透視画像に対応する画像信号をモニタテレビに出力するが、被検体Ｈを透過したＸ線により形成されるＸ線透視画像を受像して出力するものであればよい。モニタテレビは、受像装置２から送られる信号に対応するＸ線透視画像を表示し、その画像をオペレータＰが確認しながら手術を行えるように、例えばＸ線装置１とは別の台車上に配置される。アーム４は、Ｘ線装置１を支持する一端部４ａと、受像装置２を支持する他端部４ｂと、両端部４ａ、４ｂを連結する連結部４ｃとを有し、その連結部４ｃが円弧に沿うＣ型とされているが、その形状は特に限定されない。本体５は、本実施形態では移動型とされ、車輪５ａを介して床面上を移動可能とされているが、天井に移動可能に吊り下げられるものでもよく、また、床面等に固定される固定型であってもよい。
【００１０】
本体５はアーム支持機構５ｂを介してアーム４を変位可能に支持する。アーム支持機構５ｂは、支柱６、スライダー７、およびアームガイド８を有する。支柱６は、本体５に図中矢印Ａで示すように上下移動可能に取り付けられた下部材６ａと、下部材６ａにベアリング６ｃを介して上下方向軸６ｏ中心に図中矢印Ｂで示すように回転可能に取り付けられた上部材６ｂとを有し、本体５に内蔵されたバネ（図示省略）により上方に向かう弾力を受ける。その弾力はＸ線照射装置３、受像装置２、アーム４およびアーム支持機構５ｂの重量と釣り合う大きさとされている。スライダー７は支柱６に横方向に移動可能に取り付けられている。スライダー７の横移動方向は図中矢印Ｃで示すように円弧に沿うＣ型アーム４の径方向に沿う。アームガイド８はスライダー７に横軸８ａ中心に図中矢印Ｄで示すように回転可能に取り付けられている。その横軸８ａはＣ型アーム４の径方向に沿う。アーム４はアームガイド８に横軸４ｏ中心に図中矢印Ｅで示すように回転可能に取り付けられている。その横軸４ｏはＣ型アーム４が沿う円弧の中心軸に沿い、横軸８ａに対して直角とされている。
【００１１】
本体５に対するアーム４の図中矢印Ａ〜Ｅで示す変位をロック解除可能にロックするロック機構が設けられている。そのロック機構は公知の構成とすることができ、例えば相対移動する本体５と支柱６との間、支柱６とスライダー７との間、スライダー７とアームガイド８との間、およびアームガイド８とアーム４との間それぞれにおいて、相対移動する部材の一方に電磁石を取り付けると共に他方に磁性部材を取り付け、各電磁石の励磁と消磁によりロックとロック解除を行う。
【００１２】
Ｘ線照射装置３と受像装置２にそれぞれハンドル１１が設けられている。ハンドル１１を設ける位置は、図示例ではＸ線照射装置３と受像装置２の外側面とされているが、アーム４に取り付けられてもよい。また、ハンドル１１の形状は、図示例ではロッド状とさてれているが、オペレータＰにより把持してアーム４を本体５に対して変位させることができれば特に限定されない。ハンドル１１の数も２つに限定されず、単一でも３以上としてもよい。
【００１３】
ロック機構によりアーム４の変位をロックする状態とロック解除する状態とに切り替えるロック機構用操作スイッチ２０が設けられている。本実施形態では、各ハンドル１１それぞれにロック機構用操作スイッチ２０が取り付けられているが、Ｘ線照射装置３、受像装置２、およびアーム４の中の何れかに配置されていれば、その設ける位置や数は特に限定されない。ロック機構用操作スイッチ２０の種類は特に限定されず、例えば押釦スイッチとされ、その操作により上記のようなロック機構を構成する電磁石を励磁状態と消磁状態とに切り替える。本実施形態では、一つの操作スイッチ２０の操作によりアーム４の全ての変位方向におけるロックとロック解除とが同時に行われる。
【００１４】
Ｘ線照射装置３からのＸ線の照射条件設定用操作スイッチと、そのＸ線のコリメータを操作するためのコリメータ用操作スイッチとを含む操作パネル３０が設けられている。本実施形態では、操作パネル３０はＸ線照射装置３に取り付けられているが、Ｘ線照射装置３、受像装置２、およびアーム４の中の何れかに配置されていれば、その設ける位置や数は特に限定されず、例えばＸ線照射装置３と受像装置２とにそれぞれ設けるようにしてもよい。照射条件設定用操作スイッチおよびコリメータ用操作スイッチの種類は特に限定されず、例えばキーボードスイッチやダイヤススイッチや押釦スイッチとされ、その操作により例えばＸ線強度やＸ線量等のＸ線照射条件の設定と、例えばＸ線の焦点位置や照射範囲の設定等のためのコリメータ操作をできればよい。
【００１５】
上記Ｘ線装置１によれば、オペレータＰは同一位置から操作スイッチ２０を操作すると共にアーム４を変位させることができ、さらに、オペレータはアーム４を変位させるのと同一位置で操作パネル３０における照射条件設定用操作スイッチとコリメータ用操作スイッチを操作することができ、アーム４を変位させたり操作パネル３０上のスイッチを操作する際にオペレータＰが手術台Ｔを回り込んで往復したり、別の人間に各操作スイッチの操作を指示する必要がない。
【００１６】
本発明は上記実施形態に限定されない。例えば、アームの本体に対する変位方向は特に限定されない。また、アームが本体に対して上記実施形態のように複数方向に変位する場合、上記実施形態では一つの操作スイッチ２０の操作によりアーム４の全ての変位方向におけるロックとロック解除とを同時に行うようにしたが、互いに異なる変位方向のロックとロック解除とを互いに異なる操作スイッチにより行うようにしてもよい。例えば、上記実施形態における本体５に対するアーム４の図中矢印Ａ〜Ｃで示す方向の変位のロックとロック解除とを行う操作スイッチと、図中矢印Ｄ、Ｅで示す方向の変位のロックとロック解除とを行う別の操作スイッチを設けてもよいし、変位方向の数に対応する数の操作スイッチにより、各方向への変位のロックとロック解除とを個別に行うようにしてもよい。
【図面の簡単な説明】
【００１７】
【図１】本発明の実施形態のＸ線装置の構成説明図
【符号の説明】
【００１８】
１  Ｘ線装置
２  受像装置
３  Ｘ線照射装置
４  アーム
５  本体
２０  ロック機構用操作スイッチ
３０  操作パネル
Ｈ  被検体
【図１】
2005013705.tif 000003